(57)【特許請求の範囲】
【請求項１】
分配しようとする製品を容れ、かつ、その一方の端がエンドバルブ又はエアレスポンプ（４）及びキャップ（５）を備えた分配システム（３）に連結している容器（１）からなる液体状で包装された製品の分配、特に化粧用、皮膚用又は医薬用への適用又は任意の香水製品向けのためのボトルであって、該容器（１）の壁の全部又は一部が該ボトルの壁を通して空気が通過できるように空気浸透性を有するプラスチックでつくられており、
前記容器（１）の底部（２）を形成する壁が、空気に対して浸透性の物質でつくられており、
バルブ又はエアレスポンプ（４）及びキャップ（５）を装着し、分配しようとする製品に接触している分配システム（３）の各構成要素の全部又は一部の表面が、溶液中に移動しない酸化防止剤及び／又は防腐性の接触剤がこれらの表面に固定するように処理されていることを特徴とする、分配用ボトル。
【請求項２】
ボトルの側壁が、ポリオレフィン類からなる群から選ばれた射出成型可能な熱可塑性プラスチックポリマーでつくられていることを特徴とする請求項１に記載のボトル。
【請求項３】
空気に対し浸透性の物質がシリコーンエラストマーである請求項２に記載のボトル。
【請求項４】
ボトルの壁が充填剤を含み、該充填剤は可能な限り空気の拡散を増進させることを可能とする物質であることを特徴とする請求項１ないし３のいずれか１項に記載のボトル。
【請求項５】
前記充填剤がチョークであることを特徴とする請求項４に記載のボトル。
【請求項６】
ボトルの壁が酸素吸収剤を含むことを特徴とする請求項１ないし５のいずれか１項に記載のボトル。
【発明の詳細な説明】
【０００１】
【発明の属する技術分野】
本発明は、特に化粧用、皮膚用、医薬用又は眼に使用することを目的とした、液体状で包装された製品及び任意の香水製品を分配するための装置に関する。さらに詳しくは、端に位置するバルブ締切り部材又は端の固定具に固定されたポンプを備え、その内容物と接する表面が、空気がボトルの壁を通して拡散によって通過できるように設計されている、液体製品のための分配ボトル又は容器に関する。
【０００２】
【従来の技術】
既知の方法では、分配ボトルは、分配しようとする製品を含む固いか又はフレキシブルな容器と、バルブ又はポンプを構成する分配ヘッドとからなっている。これらのボトルの壁は、一方では容れられている製品が空気によって損われるのを防ぎ、他方では製品が壁を通して拡散するのを防止するように、周囲の媒体、一般には空気及び水、が浸透できない材料でつくられている。したがって、外部に排出した液体の体積分を補償するために、これらのボトルに通気口を備える必要があり、これは一般にポンプ本体か又はバルブヘッドに配置されている。
【０００３】
先行技術で既知の分配ボトルの主要な欠点は、その通気が主として機械的手段によることにある。これは以下のことを意味する。
・製品の無菌性が低下し、そのため抗菌性の防腐剤を存在させる必要がある；
・製品が酸化するリスクがあり、したがって酸化防止剤の存在が必要である；
・通気機能が分配ヘッドの構造を複雑にする。
【０００４】
【発明が解決しようとする課題】
したがって本発明の目的は、バルブ又はエアレスポンプ（すなわち空気の吸込みがない）を備えたヘッドを装備し、そのメカニズムは通気装置がなく、通気はボトルの１つの壁を通しての拡散によって起る、分配ボトルを提案することによって、これらの欠点を緩和することである。
【０００５】
【課題を解決するための手段】
この目的のため、特に化粧用、皮膚用、医薬用又は眼用に使用することを意図した液体状で包装された製品又は各種の香水製品を分配するためのボトルは、分配しようとする製品を容れ、かつ、その一方の端がエアレスポンプ又はバルブを備えたヘッドに連結する容器からなっており、その特徴は、このボトルの壁の全部又は一部がその壁を通して空気が通過できるような、極めて高い空気浸透性を有するプラスチックでつくられていることである。
【０００６】
本発明のその他の特徴と利点は、発明の実施態様を説明する添付の図面を参照した以下の記載から明らかになるであろう。ただし、この実施態様は限定を意味するものではない。
【０００７】
【発明の実施の形態】
本発明の課題をなすボトルの望ましい実施態様によれば、このボトルは分配すべき容器を液体状で容れる容器（１）を包含する。好ましくは固い状態か又はフレキシブルなこの容器は、その一方の端に、キャップ（５）を有する末端のバルブ又はエアレスポンプ（４）であることができる分配システム（３）を構成し、エアレスポンプの本体は液体中に浸漬されている。
【０００８】
本発明の有利な特徴の１つによれば、容器の壁の全部か又は一部、特に側壁がプラスチック、特に容器の壁を通して空気を通過させるような空気浸透性の高いポリオレフィン、ＰＶＣ及び高機能ポリマーなどの射出成型可能な熱可塑性ポリマーでつくられる。
【０００９】
望ましい実施態様によれば、本発明のボトルは以下のいずれによってでも得られる。
【００１０】
・上述したようなポリマーに充填剤を加えたプラスチック型の物質の射出吹込成型法を使用する成型により得られ、この充填剤はできる限り空気の拡散を増進させることのできる物質、特にチョークであることが望ましい。
【００１１】
・ボトルの１部分、特に本体の部分を上述のようなプラスチックから成型し、ボトルの底部（２）を例えばシリコーンエラストマーのような空気浸透性の極めて高い性質を有する物質で成型して得る二軸射出成型法による。
【００１２】
選択した巨大分子の三次元ネットワークは、空気の拡散はさせるが、コンテナ中に容れてある製品を汚染するような作用物質（ａｇｅｎｔｓ）特に細菌が通過するのは妨げる。
【００１３】
製造方法がどのようなものであれ、壁の１つ、特に底部又は側部を形成する壁を通して空気が拡散できる形を容器に与えるように、公知方法（スナップ止め、あるいは超音波又は振動溶接）によって底部と本体が組立てられる。
【００１４】
本発明の容器は、ボトル中に容れられた液体を分配可能にするバルブ又はポンプを装着した分配ヘッドを載せている。その構成材料を選択することにより、ボトルは固い性質のものであってよく、これにより製品を分配したあともボトルの形と容積をそのまま保持する。製品を排出すると容器の内部に部分的真空を生じ、これがなくなった液の体積に相当する量の空気が浸透性の壁を通って拡散するのを促進する。
【００１５】
本発明の有利な特徴の１つによれば、巨大分子の三次元ネットワークによる酸素分子の取り込みが、このネットワークに酸素吸収剤を添加することによって改善される。
【００１６】
壁のこの性質のお蔭で、空気の吸込みは、使用の間細菌汚染のリスクがなく、かつ、酸素取り込みがない無菌の方式で起る。
【００１７】
本発明の他の有利な特性によれば、分配しようとする製品に接触しており、バルブ又はエアレスポンプ（４）を装着した分配システム（３）の各構成部の全部又は一部の表面が、移動することのない酸化防止剤及び／又は防腐性の接触剤をこれらの表面上に固着するように処理される。すなわち、これらはポリマーに固定されてとどまる。
【００１８】
したがって、第１の方法により、各種の金属又はプラスチック成分の上に金属、特に銀、銅、亜鉛又は水銀から選ばれる金属を電着によって沈着させる。
【００１９】
第２の方法により、有機金属化合物（特に銀、銅、亜鉛、水銀又は鉛の塩から選ばれるもの）又は有機化合物を、好ましくは巨大分子の炭化水素担持体、特にポリマーにグラフトさせるプロセスを用いて抗菌処理を行う。
【００２０】
このグラフトプロセスは、グラフトさせようとする製品と担持体との間に化学反応をもたらし、その結果これらが互いに化学的に結合する。本ケースでは、抗菌剤であるこの製品は安定して担持体に付着し、したがって本発明の装置により分配される溶液中に移動すること、すなわち担持体から離れること、はできない。
【００２１】
このグラフトは特にα、β又はγ型の電離線を使用して行われる。グラフトさせる抗菌剤及び担持体の表面は互いに接触状態にあり、電離線のエネルギーの効果により安定な化学結合を生ずる。
【００２２】
グラフトさせる各構成部の表面と抗菌剤製品の分子の両方のそれぞれが、第３級炭素原子、不飽和炭素原子又は電離線によってイオン化できる任意の化学基からなる化学構造を有することが重要であり、これにより相互に作用するフリーラジカルを生成する。
【００２３】
上述した両プロセスとも、次いで、前記表面に化学的に固定されなかった過剰分の抗菌剤を除くためにグラフトした構成部の担持体を洗浄する。
【００２４】
第３の方法により、プラスチックでつくられた各構成部を、不溶性の抗菌剤の存在下、特に成型時にプラスチック中に銀を混合して成型する。
【００２５】
この場合、銀をベースとする抗菌剤の１重量％存在下にポリエチレンを成型すると、汚染媒体に対して保護する効果を生じる（個体数５０，０００の大腸菌が６時間で個体数１０以下に減少する）。
【００２６】
本発明のボトルは、このボトルをつくるのに選んだプラスチックによって、フレキシブルで浸透性の壁又は固くて浸透性の壁を有し、その形状はそれぞれバルブ又はポンプを備えた構成を有する。
【００２７】
エアレスポンプ、バルブ及び末端の固定具を形成する構成要素の全部又は一部は、接触による抗菌保護を与える手段により処理される。
【００２８】
本発明は、抗菌剤及び／又は抗酸化防腐剤が存在しない結果、容器中に含まれる製品の毒性を減少させることを可能とするもので、多くの利点を提供する。それ故本発明のボトルは無菌状態で使用される。
【００２９】
本発明は、もちろん、以上に説明して示した実施態様に限定されるものではなく、そのすべての変形を包含するものとする。
【００３０】
【発明の効果】
本発明ボトル中の液体製品中に抗菌剤及び／又は酸化防止防腐剤が混入することがないため、製品の毒性が減少し、医薬用液体、香水などの分配ボトルとして無菌状態で使用できる。
【図面の簡単な説明】
【図１】本発明のボトルの一例の側面断面図である。
【符号の説明】
１    容器
２    底部
３    分配システム（分配ヘッド）
４    エアレスポンプ
５    キャップ
【図１】
0003820291.tif 000002